(57)【特許請求の範囲】
【請求項１】
人員の配置を支援する装置であって、
記憶部と、制御部と、を備え、
前記記憶部は、
複数の利用者のうち特定の利用者から他の特定の利用者に対する所定の心理的関係に関する利用者関係情報を記憶し、
前記制御部は、
前記利用者の指定を受け付け、前記記憶部から前記利用者関係情報を順次読み出し、
指定された利用者を前記特定の利用者または前記他の利用者のいずれかに含む利用者関係情報を検索し、
指定された利用者と他の利用者との前記心理的関係を示す情報を出力する、
ことを特徴とする人員の配置を支援する装置。
【請求項２】
請求項１に記載の人員の配置を支援する装置であって、
前記制御部は、さらに、
特定の利用者から他の特定の利用者に対する所定の心理的関係に関する情報を受け付け、
受け付けた前記利用者から他の特定の利用者に対する所定の心理的関係を前記利用者関係情報として前記記憶部に記憶する、
ことを特徴とする人員の配置を支援する装置。
【請求項３】
請求項１または２のいずれか一項に記載の人員の配置を支援する装置であって、
前記制御部は、前記利用者の指定を受け付ける処理において、さらに、
利用者から他の特定の利用者に対する前記所定の心理的関係を特定する情報と、前記指定を受け付けた利用者が前記心理的関係を構成する前記特定の利用者または前記他の利用者のいずれの側であるかを特定する情報と、を受け付け、
前記利用者と他の利用者との心理的関係を示す情報を出力する処理において、さらに、
検索した前記利用者関係情報のうち、前記利用者から他の特定の利用者に対する所定の心理的関係を特定する情報を含む前記利用者関係情報を、受け付けた前記心理的関係を構成する前記特定の利用者または前記他の利用者のいずれの側であるかを特定する情報に応じて出力する、
ことを特徴とする人員の配置を支援する装置。
【請求項４】
請求項１〜３のいずれか一項に記載の人員の配置を支援する装置であって、
前記利用者関係情報は、良好と不可とのうちいずれか一方の関係を含む、
ことを特徴とする人員の配置を支援する装置。
【請求項５】
請求項３または４のいずれか一項に記載の人員の配置を支援する装置であって、
前記利用者から他の特定の利用者に対する所定の心理的関係を特定する情報は、良好と、不可と、良好または不可のいずれか一方と、のうちいずれかを特定するものである、
ことを特徴とする人員の配置を支援する装置。
【請求項６】
請求項１〜５のいずれか一項に記載の人員の配置を支援する装置であって、
前記記憶部は、さらに、
前記利用者の情報と、前記利用者が所属するグループの情報と、を記憶し、
前記制御部は、さらに、
前記グループを識別する情報を受け付け、
前記記憶部を検索して受け付けた前記グループを識別する情報により識別されるグループに所属する前記利用者を特定し、
特定した前記利用者が含まれる前記利用者から他の特定の利用者に対する所定の心理的関係に関する情報を検索して出力する、
ことを特徴とする人員の配置を支援する装置。
【請求項７】
請求項６に記載の人員の配置を支援する装置であって、
前記制御部は、さらに、
前記利用者の情報と、前記利用者が所属するグループの情報と、についての登録を受け付け、前記記憶部に記憶する、
ことを特徴とする人員の配置を支援する装置。
【請求項８】
コンピュータを、人員の配置を支援する装置として機能させるためのプログラムであって、
前記コンピュータは、複数の利用者のうち特定の利用者から他の特定の利用者に対する所定の心理的関係に関する利用者関係情報を記憶する記憶装置と、制御装置と、を備え、
前記コンピュータに、
前記利用者の指定を受け付けるステップと、
指定された利用者を前記特定の利用者または前記他の利用者のいずれかに含む利用者関係情報を検索し、
指定された利用者と他の利用者との前記心理的関係を示す情報を出力するステップと、
を実行させることを特徴とするプログラム。
【請求項９】
請求項８に記載のプログラムであって、
前記コンピュータに対して、さらに、特定の利用者から他の特定の利用者に対する所定の心理的関係に関する情報を受け付けるステップと、
受け付けた前記利用者から他の特定の利用者に対する所定の心理的関係を前記利用者関係情報として前記記憶装置に記憶するステップと、
を実行させることを特徴とするプログラム。
【請求項１０】
請求項８または９のいずれか一項に記載のプログラムであって、
前記制御装置に対して、前記利用者の指定を受け付けるステップにおいて、さらに、
利用者から他の特定の利用者に対する所定の心理的関係を特定する情報と、前記指定を受け付けた利用者が前記心理的関係を構成する前記特定の利用者または前記他の利用者のいずれの側であるかを特定する情報と、を受け付ける処理と、
前記利用者と他の利用者との心理的関係を示す情報を出力するステップにおいて、さらに、
検索した前記利用者関係情報のうち、前記利用者から他の特定の利用者に対する所定の心理的関係を特定する情報を含む前記利用者関係情報を、受け付けた前記心理的関係を構成する前記特定の利用者または前記他の利用者のいずれの側であるかを特定する情報に応じて出力する処理と、
を実行させることを特徴とするプログラム。
【請求項１１】
人員の配置を支援するシステムであって、
サーバ装置と、前記サーバ装置にネットワークを介して接続される端末装置と、を備え、
前記サーバ装置は、
記憶部と、制御部と、通信部と、を備え、
前記記憶部は、
複数の利用者のうち特定の利用者から他の特定の利用者に対する所定の心理的関係に関する利用者関係情報を記憶し、
前記制御部は、
前記通信部を介して前記利用者の指定を受け付け、前記記憶部から前記利用者関係情報を順次読み出し、
指定された利用者を前記特定の利用者または前記他の利用者のいずれかに含む利用者関係情報を検索し、
指定された利用者と他の利用者との前記心理的関係を示す情報を前記通信部を介して出力し、
前記端末装置は、
入力部と、出力部と、制御部と、通信部と、を備え、
前記端末装置の制御部は、
前記端末装置の入力部を介して前記利用者の指定を受け付け、
指定を受け付けた前記利用者を含む前記利用者関係情報を検索するよう前記端末装置の通信部を介して前記サーバ装置に送信し、
前記端末装置の通信部を介して前記サーバ装置から出力された前記利用者と他の利用者との心理的関係を示す情報を受け付け、前記端末装置の前記出力部を介して出力する、
ことを特徴とする人員の配置を支援するシステム。
【発明の詳細な説明】
【技術分野】
【０００１】
本発明は、人員の配置を支援する技術に関する。
【背景技術】
【０００２】
従来、人員の配置を支援する技術として、特定の人員の過去の不適切事象を記録しておき、経時間に基づいて不適切指数を求め、不適切指数を出力する技術がある（特許文献１）。
【０００３】
特許文献１には、人事異動者に関する不適切事象を記録しておき、経過時間に応じて不適切事象から算出される不適切指数を算出し、算出した不適切指数に応じて表示上の修飾を施して不適切指数を出力する発明が記載されている。
【０００４】
【特許文献１】特開２００６−３５０４１４号公報
【発明の開示】
【発明が解決しようとする課題】
【０００５】
上記特許文献１に記載の技術では、不適切事象として客観的に把握できる事象に基づいて不適切であることを判断することはできるが、顕示されない人間関係に基いて、不適切であることを判断することはできない。
【０００６】
そこで、本発明は、顕示されない人間関係に基き人員の配置を支援する技術の提供を目的とする。
【課題を解決するための手段】
【０００７】
本願に係る製品仕様の決定を支援する技術は、上記課題を解決するため、指定された利用者が含まれる利用者同士の関係に関する情報を抽出して出力する。
【０００８】
例えば、人員の配置を支援する装置であって、記憶部と、制御部と、を備え、前記記憶部は、複数の利用者のうち特定の利用者同士の関係に関する利用者関係情報を記憶し、前記制御部は、前記利用者の指定を受け付け、前記記憶部から前記利用者関係情報を順次読み出し、指定された利用者を含む利用者関係情報を検索し、指定された利用者と他の利用者との関係を示す情報を出力する、ことを特徴とする人員の配置を支援する装置。
【発明の効果】
【０００９】
顕示されない人間関係に基き人員の配置を支援する技術を提供できる。
【発明を実施するための最良の形態】
【００１０】
図１は、本発明の一実施形態が適用された人員配置支援システム１について、概要を示す図である。
【００１１】
人員配置支援システム１は、ネットワーク１５０と接続可能な利用者端末１７０と、サーバ装置１００と、を備える。
【００１２】
利用者端末１７０は、利用者Ａ、Ｂ、Ｃ、Ｄ、Ｅと、人事担当者Ｘと、により利用される端末である。
【００１３】
なお、利用者端末１７０は複数設置されてもよいし、利用者端末１７０のうち一台を複数の利用者が共用してもよい。
【００１４】
また、利用者の数、人事担当者の数および端末の数のいずれにも、上限はない。
【００１５】
利用者端末１７０は、利用者Ａ、Ｂ、Ｃ、Ｄ、Ｅのうちの一の利用者と、他の利用者との関係に関する関係情報の入力を受け付ける。そして、利用者端末１７０は、入力を受け付けた情報を、ネットワーク１５０を介して、サーバ装置１００に関係情報として登録するよう指示する（図中（１）の登録を示す矢印）。
【００１６】
例えば、利用者端末１７０は、利用者Ａから入力された関係情報として、「ＡはＢと良好な関係にある（信頼している）」ことと、「ＡはＤと（同一部署配属が）不可の関係にある（過去に反発した経緯がある）」ことと、「ＡはＥと不可の関係にある（苦手とする）」ことと、に関する情報を受け付けると、サーバ装置１００に当該関係情報を送信する。
【００１７】
同様に、利用者端末１７０は、Ｅから入力された関係情報として、「ＥはＤと良好な関係にある（信頼している）」ことを受け付けると、サーバ装置１００に当該関係情報を送信する。
【００１８】
サーバ装置１００は、これらの関係情報を記憶装置に記憶させ、「ＡはＢと良好な関係にある（信頼関係）」ことと、「ＡはＤと同じ所属となることが不可の関係にある（過去に反発した経緯がある）」ことと、「ＡはＥと同じ所属になることが不可の関係にある（著しく苦手である）」ことと、「ＥはＤと良好な関係にある（信頼関係）」ことと、を登録する。
【００１９】
また、利用者端末１７０は、人事担当者Ｘからの検索指示の入力を受け付け、受け付けた内容に基づいてサーバ装置１００に検索要求を送信する（図中（２）の検索要求を示す矢印）。
【００２０】
具体的には、利用者端末１７０は、人事担当者Ｘからの検索指示の入力として、「ＡとＥの関係を表示」する検索要求を受け付けると、サーバ装置１００に対してその旨の検索条件を含む検索要求データを送信する。
【００２１】
サーバ装置１００は、利用者端末１７０からの検索要求を受け付けると、利用者の関係についての情報を検索し、検索結果を利用者端末１７０に送信する。
【００２２】
利用者端末１７０は、受信した検索結果を利用者端末の画面等に表示させ、人事担当者Ｘは表示された検索結果を確認する（図中（３）の取得を示す矢印）。
【００２３】
具体的には、サーバ装置１００は、利用者端末１７０からの検索要求を受け付けると、検索要求に含まれる検索条件（ＡとＥの関係）に基づいて登録された関係情報を検索し、検索条件に合致する関係情報（「ＡはＥと同じ所属になることが不可の関係にある」ことを示す情報）を利用者端末１７０に送信する。
【００２４】
このように、本発明の実施形態に示した利用者端末１７０とサーバ装置１００を用いることによって、人事担当者Ｘは、社員等の利用者からの登録に基づいて利用者間の人間関係を把握し、人員の配置を考えることができるようになる。
【００２５】
図２は、本発明の実施形態の人員配置支援システム１を示す図である。
【００２６】
人員配置支援システム１は、サーバ装置１００と、ネットワーク１５０を介してサーバ装置１００と通信を行うことができる利用者端末１７０と、を有する。
【００２７】
なお、人員配置支援システム１は、利用者端末１７０を複数有するものであっても良いし、サーバ装置１００を複数有するものであっても良い。
【００２８】
サーバ装置１００は、記憶部１２０と、制御部１３０と、送受信部１４０と、を備える。
【００２９】
記憶部１２０は、利用者情報テーブル２００を格納する利用者情報記憶領域１２１と、関係情報テーブル３００を格納する関係情報記憶領域１２２と、検索対象人員テーブル４００を格納する検索対象人員記憶領域１２３と、グループ人員テーブル５００を格納するグループ人員記憶領域１２４と、を備える。
【００３０】
図３に、利用者情報を記憶する利用者情報テーブル２００の構成例を示す。
【００３１】
利用者情報テーブル２００は、社員等の利用者の属性に関する情報を記憶するテーブルである。
【００３２】
具体的には、利用者情報テーブル２００は、利用者識別子欄２０１と、利用者氏名欄２０２と、性別欄２０３と、生年月日欄２０４と、住所欄２０５と、を有する。
【００３３】
利用者識別子欄２０１には、利用者ごとに割り当てた識別子を示す情報が記憶される。例えば、「１２３４５６」、「２３４５６７」等の重複しない番号である。
【００３４】
利用者氏名欄２０２には、利用者の氏名を示す情報が記憶される。例えば、「佐藤太郎」、「鈴木次郎」、等である。
【００３５】
性別欄２０３には、利用者の性別を示す情報が記憶される。例えば、「Ｍ（男性）」、「Ｆ（女性）」、等である。
【００３６】
生年月日欄２０４には、利用者の生年月日を示す情報が記憶される。例えば、「１９５０／２／２」は、１９５０年２月２日生まれであることを示す。
【００３７】
住所欄２０５には、利用者の住所を示す情報が記憶される。
【００３８】
また、利用者情報テーブル２００は、これ以外にも、利用者に関する属性情報（例えば自宅電話番号等）を記憶する欄を備えるものであってもよい。
【００３９】
図４は、関係情報テーブル３００の構成例を示す。
【００４０】
関係情報テーブル３００は、利用者間の関係に関する情報を記憶するテーブルである。
【００４１】
具体的には、関係情報テーブル３００は、当事者識別子欄３０１と、対象者識別子欄３０２と、関係情報欄３０３と、を有する。
【００４２】
当事者識別子欄３０１には、登録を行った利用者の利用者識別子が記憶される。例えば、「１２３４５６」、「２３４５６７」等の利用者識別子である。
【００４３】
対象者識別子欄３０２には、登録を行った利用者との関係を示す対象となる他の利用者の利用者識別子である。例えば、「２３４５６７」、「３４５６７９」等の利用者識別子である。
【００４４】
関係情報欄３０３には、当事者から対象者に対して成り立つ関係が記憶される。例えば、「良好」、「不可」、という関係である。
【００４５】
なお「良好」とは、当事者が対象者に対して良好な関係にあること、例えば信頼している、尊敬している、業務の遂行手段を理解することが可能であること等を示す関係である。一般に、関係が「良好」である者同士は、両者が同一の部署に配属されることで相乗効果を奏することが可能となる場合があるといえる。
【００４６】
また、「不可」とは、当事者が対象者に対して良好な関係にないこと、例えば信頼していない、雰囲気が苦手である、過去に反目した経緯がある、等の関係を示す。一般に、関係が「不可」である者同士は、両者が同一の部署に配属されることで所属する組織全体の業務効率が下がってしまう可能性がある。
【００４７】
図５は、検索対象人員テーブル４００の構成例を示す。
【００４８】
検索対象人員テーブル４００は、利用者間の関係に関する情報を検索する際に検索対象者を一時的に記憶しておくためのテーブルである。
【００４９】
具体的には、検索対象人員テーブル４００は、検索対象者欄４０１を備える。検索対象者欄４０１は、検索対象として指定された利用者の識別子を記憶し、複数の識別子を記憶する。
【００５０】
図６は、グループ人員テーブル５００の構成例を示す。
【００５１】
グループ人員テーブル５００は、一人または複数の利用者が所属するグループと、そのグループに所属する利用者を特定する情報を記憶するテーブルである。
【００５２】
具体的には、グループ人員テーブル５００は、グループ識別子欄５０１と、構成人員識別子欄５０２と、を有する。
【００５３】
グループ識別子欄５０１には、一人または複数の利用者が所属するグループを識別するグループ識別子が記憶される。
【００５４】
具体的には、会社であれば部や課などの組織をグループとし、そのグループを他のグループから識別するための識別子としてＧ１の識別子を付与すると、グループ識別子欄５０１には、当該識別子である「Ｇ１」等が記憶される。
【００５５】
構成人員識別子欄５０２には、グループ識別子欄５０１に記憶されたグループ識別子により識別されるグループに所属する利用者の利用者識別子が、グループ識別子に応じて記憶される。例えば、グループ「Ｇ１」に、「２３４５６７（Ｂさん）」、「３４５６７８（Ｃさん）」等が所属する、というように、グループと構成人員は対応付けられて記憶される。
【００５６】
図７は、利用者端末１７０がサーバ装置１００に対して関係情報の登録要求を送信する際の登録要求データのフォーマット６００を示す図である。
【００５７】
登録要求データのフォーマット６００は、当事者識別子欄６０１と、対象者識別子欄６０２と、関係情報欄６０３と、を有する。
【００５８】
当事者識別子欄６０１には、登録を行う利用者の利用者識別子が記憶される。例えば、「１２３４５６」、「２３４５６７」等の利用者識別子である。
【００５９】
対象者識別子欄６０２には、登録を行う利用者との関係を示す対象となる他の利用者の利用者識別子である。例えば、「２３４５６７」、「３４５６７９」等の利用者識別子である。
【００６０】
関係情報欄６０３には、当事者から対象者に対して成り立つ関係が記憶される。例えば、「良好」、「不可」、という関係である。
【００６１】
図８は、利用者端末１７０がサーバ装置１００に対して関係情報の検索要求を送信する際の検索要求データのフォーマット７００を示す図である。
【００６２】
検索要求データのフォーマット７００は、関係情報欄７０１と、検索対象者欄７０２を単数または複数備える検索対象者指定欄７０３と、を有する。
【００６３】
関係情報欄７０１には、当事者から対象者に対して成り立つ関係についての指定情報が記憶される。
【００６４】
検索対象者欄７０２は、検索する対象となる利用者の識別子を記憶する欄である。
【００６５】
検索対象者指定欄７０３は、検索する対象となる利用者の識別子を単数または複数記憶する欄である。
【００６６】
図９は、サーバ装置１００から利用者端末１７０が取得した関係検索結果データ８００の構造を示す図である。
【００６７】
関係検索結果データ８００は、当事者識別子欄８０１と、対象者識別子欄８０２と、関係情報欄８０３と、を有する。
【００６８】
当事者識別子欄８０１には、登録を行った利用者の利用者識別子が記憶される。例えば、「１２３４５６」、「２３４５６７」等の利用者識別子である。
【００６９】
対象者識別子欄８０２には、登録を行った利用者との関係を示す対象となる他の利用者の利用者識別子である。例えば、「２３４５６７」、「３４５６７９」等の利用者識別子である。
【００７０】
関係情報欄８０３には、当事者から対象者に対して成り立つ関係が記憶される。例えば、上述した「良好」、「不可」、という関係である。
【００７１】
図２に説明を戻す。
【００７２】
サーバ装置１００の制御部１３０は、入力受付部１３１と、関係情報登録部１３２と、関係情報検索部１３３と、出力作成部１３４と、グループ人員登録部１３５と、特定人員検索部１３６と、を有する。
【００７３】
入力受付部１３１は、利用者端末１７０からの指示を受け付ける。例えば、利用者端末１７０からネットワーク１５０を経由して送信された関係情報の登録要求データを受け付けて、内容を制御部１３０へ伝える。
【００７４】
関係情報登録部１３２は、入力受付部１３１を介して受け付けた関係情報の登録要求データに基づいて、関係情報記憶領域１２２の関係情報テーブル３００に登録する。
【００７５】
関係情報検索部１３３は、入力受付部１３１を介して受け付けた関係情報の検索要求データに基づいて、関係情報記憶領域１２２の関係情報テーブル３００を検索し、結果の情報を出力作成部１３４に受け渡す。
【００７６】
出力作成部１３４は、関係情報検索部１３３、特定人員検索部１３５等の出力結果に関する情報を関係検索結果データ８００の形式にまとめて、利用者端末１７０に送信する。
【００７７】
グループ人員登録部１３５は、入力受付部１３１を介して受け付けたグループ人員の登録要求データから、グループ人員テーブル５００に情報を記憶させる。
【００７８】
特定人員検索部１３６は、入力受付部１３１を介して受け付けた特定人員の検索要求データにより特定される人員を関係情報テーブル３００から検索し、検索した結果の情報を出力作成部１３４に受け渡す。
【００７９】
送受信部１４０は、ネットワーク１５０に接続し、他の接続された機器に対して情報を送信し、他の接続された機器から情報を受信する。
【００８０】
利用者端末１７０は、入力部１７１と、出力部１７２と、送受信部１７３と、記憶部１７４と、制御部１８０と、を有する。
【００８１】
入力部１７１は、利用者から入力された情報を検知し、制御部１８０に受け渡す。
【００８２】
出力部１７２は、制御部１８０等からの表示指示を受けて画面表示等を出力する。
【００８３】
送受信部１７３は、ネットワーク１５０に接続し、他の接続された機器に対して情報を送信し、他の接続された機器から情報を受信する。
【００８４】
記憶部１７４は、検索対象人員記憶領域１７５を有する。
【００８５】
検索対象人員記憶領域１７５は、上記サーバ装置１００の記憶部１２０の検索対象人員記憶領域１２３の検索対象人員テーブル４００と同様の形式を備えるテーブルを記憶する。
【００８６】
制御部１８０は、関係情報登録部１８１と、関係情報検索部１８２と、グループ人員登録部１８３と、を有する。
【００８７】
関係情報登録部１８１は、入力部１７１を介して受け付けた関係情報を登録要求データのフォーマット６００に基づいて登録要求データを作成してサーバ装置１００に送信する。
【００８８】
関係情報検索部１８２は、入力部１７１を介して受け付けた検索情報を検索要求データのフォーマット７００に基づいて検索要求データを作成してサーバ装置１００に送信する。
【００８９】
グループ登録部１８３は、入力部１７１を介して受け付けたグループの構成人員に関する情報をサーバ装置１００に送信する。
【００９０】
図１０は、本実施形態のハードウェア構成を示す図である。
【００９１】
本実施形態では、図１０に示すように、サーバ装置１００は、ネットワーク１５０を介して、利用者端末１７０と通信を行うことができる。
【００９２】
サーバ装置１００は、例えば、クライアントＰＣ（パーソナルコンピュータ）や、ワークステーション、サーバ装置、各種携帯電話端末、ＰＤＡ（Personal Digital Assistant）などの計算機である。
【００９３】
サーバ装置１００は、通信装置１１３と、演算装置１１４と、主記憶装置１１５と、外部記憶装置１１６と、それぞれの装置を互いに接続するバス１１７と、を有する。
【００９４】
通信装置１１３は、ネットワーク１５０などのネットワークを介して他の装置と通信を行う装置である。
【００９５】
演算装置１１４は、例えばＣＰＵ（Central Processing Unit）などの演算装置である。
【００９６】
主記憶装置１１５は、例えばＲＡＭ（Random Access Memory）などのメモリ装置である。
【００９７】
外部記憶装置１１６は、例えばハードディスク装置やフラッシュメモリなどの不揮発性記憶装置である。
【００９８】
ここで、ネットワーク１５０は、ＬＡＮ（Local Area Network）や無線ＬＡＮなどの通信網であるが、インターネットや公衆用の無線ＬＡＮなどの公衆網であってもよいし、その他ケーブルテレビ網や携帯電話網などのネットワーク、あるいは電力線ネットワーク等でもよい。
【００９９】
図２に示したサーバ装置１００の入力受付部１３１と、関係情報登録部１３２と、関係情報検索部１３３と、出力作成部１３４と、グループ人員登録部１３５と、特定人員検索部１３６と、は、サーバ装置１００の演算装置１１４に処理を行わせるプログラムによって実現される。
【０１００】
このプログラムは、主記憶装置１１５または外部記憶装置１１６内に記憶され、実行にあたって主記憶装置１１５上にロードされ、演算装置１１４により実行される。
【０１０１】
また、サーバ装置１００の記憶部１２０は、サーバ装置１００の主記憶装置１１５または外部記憶装置１１６により実現される。
【０１０２】
サーバ装置１００の送受信部１４０は、サーバ装置１００の通信装置１１３によって実現される。
【０１０３】
利用者端末１７０は、例えば、クライアントＰＣ（パーソナルコンピュータ）や、ワークステーション、サーバ装置、各種携帯電話端末、ＰＤＡ（Personal Digital Assistant）などの計算機である。
【０１０４】
利用者端末１７０は、入力装置１９１と、出力装置１９２と、演算装置１９３と、主記憶装置１９４と、外部記憶装置１９５と、通信装置１９６と、それぞれの装置を互いに接続するバス１９７と、を有する。
【０１０５】
入力装置１９１は、例えばキーボードやマウス、あるいはタッチペン、その他ポインティングデバイスなどの入力を受け付ける装置である。
【０１０６】
出力装置１９２は、例えばディスプレイなどの、表示を行う装置である
演算装置１９３は、例えばＣＰＵ（Central Processing Unit）などの演算装置である。
【０１０７】
主記憶装置１９４は、例えばＲＡＭ（Random Access Memory）などのメモリ装置である。
【０１０８】
外部記憶装置１９５は、例えばハードディスク装置やフラッシュメモリなどの不揮発性記憶装置である。
【０１０９】
通信装置１９６は、ネットワーク１５０などのネットワークを介して他の装置と通信を行う装置である。
【０１１０】
ここで、ネットワーク１５０は、ＬＡＮ（Local Area Network）や無線ＬＡＮなどの通信網であるが、インターネットや公衆用の無線ＬＡＮなどの公衆網であってもよいし、その他ケーブルテレビ網や携帯電話網などのネットワーク、あるいは電力線ネットワーク等でもよい。
【０１１１】
図２に示した利用者端末１７０の関係情報登録部１８１と、関係情報検索部１８２と、グループ人員登録部１８３と、は、利用者端末１７０の演算装置１９３に処理を行わせるプログラムによって実現される。
【０１１２】
このプログラムは、主記憶装置１９４または外部記憶装置１９５内に記憶され、実行にあたって主記憶装置１９４上にロードされ、演算装置１９３により実行される。
【０１１３】
また、利用者端末１７０の送受信部１７３は、利用者端末１７０の通信装置１９６によって実現される。
【０１１４】
また、利用者端末１７０の記憶部１７４は、利用者端末１７０の主記憶装置１９４または外部記憶装置１９５により実現される。
【０１１５】
［動作の説明］ここから、本実施形態における利用者の関係情報の登録に関する処理のフローについて、図に基づき説明する。
【０１１６】
図１１は、利用者端末１７０における関係情報を登録する流れ（図１の（１）に相当する処理）を示すフロー図である。
【０１１７】
まず、関係情報登録部１８１は、利用者端末１７０の利用者であるユーザーから関係登録の処理を開始する指示を受け付けると、関係登録画面１１を出力部１７２に表示させる（ステップＳ１１０１）。
【０１１８】
具体的には、まず、関係情報登録部１８１は、利用者端末１７０の利用者から関係登録の処理を開始する指示を受け付ける。次に、関係情報登録部１８１は、図１２に示す関係登録画面１１を表示するよう出力部１７２に指示し、出力部１７２は関係登録画面１１を表示する。
【０１１９】
図１２は関係登録画面１１の画面例を示す図である。
【０１２０】
関係登録画面１１は、当事者入力欄７と、対象者入力欄８と、関係項目入力欄９と、指示入力欄１６と、を有する。
【０１２１】
当事者入力欄７は、当事者、すなわち関係の主体となる人物の氏名または識別子の入力を受け付ける欄である。例えば、当事者入力欄７は、「Ａ（さん）」や、「１２３４５６」という当事者の情報の入力を受け付ける。
【０１２２】
対象者入力欄８は、対象者、すなわち関係の客体となる人物の氏名または識別子の入力を受け付ける欄である。例えば、対象者入力欄８は、「Ｂ（さん）」や、「２３４５６７」という対象者の情報の入力を受け付ける。
【０１２３】
関係項目入力欄９は、関係が「良好」であるか「不可」であるかの入力指示を受け付ける欄である。関係項目入力欄９は、「良（良好）」ラジオボタン１７と、「不（不可）」ラジオボタン１８と、の入力領域を有し、択一的な入力を受け付ける。
【０１２４】
また、指示入力欄１６は、別の関係情報を続けて入力する「次入力」または関係情報の入力を終えて登録を行う「終了」の入力指示を受け付ける欄である。指示入力欄１６は、「次入力」ラジオボタン１９と、「終了」ラジオボタン２０と、の入力領域を有し、択一的な入力を受け付ける。
【０１２５】
次に、関係情報登録部１８１は、ユーザーから関係登録画面１１の各項目の入力を受け付ける（ステップＳ１１０２）。
【０１２６】
具体的には、関係登録画面１１の当事者入力欄７、対象者入力欄８、関係項目入力欄９、指示入力欄１６の情報をそれぞれ、当事者情報、対象者情報、関係情報、指示情報、として受け付ける。
【０１２７】
次に、関係情報登録部１８１は、ステップＳ１１０２で受け付けた当事者情報、対象者情報、関係情報、を図７に示した登録要求データのフォーマット６００に当てはめて登録要求データを作成する（ステップＳ１１０３）。
【０１２８】
具体的には、関係情報登録部１８１は、ステップＳ１１０２で受け付けた当事者情報、対象者情報、関係情報、をそれぞれ、当事者識別子欄６０１、対象者識別子欄６０２、関係情報欄６０３に設定して、登録要求データを作成する。
【０１２９】
次に、関係情報登録部１８１は、ステップＳ１１０３で作成した登録要求データをサーバ装置１００に対して送信する（ステップＳ１１０４）。
【０１３０】
次に、関係情報登録部１８１は、ステップＳ１１０２にて受け付けた情報のうち、指示入力欄１６の情報である指示情報が「終了」であったか否かを判定する（ステップＳ１１０５）。
【０１３１】
ステップＳ１１０５において、「終了」であったと判定した場合（ステップＳ１１０５において「ＹＥＳ」）、関係情報登録部１８１は、処理を終了させる。
【０１３２】
ステップＳ１１０５において、「終了」ではなかったと判定した場合（ステップＳ１１０５において「Ｎｏ」）、関係情報登録部１８１は、処理をステップＳ１１０２に戻し、ステップＳ１１０２から処理を再実行する。つまり、２件目以降の関係情報の登録処理を実施する。
【０１３３】
以上が、利用者端末１７０における関係情報登録処理の処理フローである。
【０１３４】
次に、利用者端末１７０における関係情報登録処理のステップＳ１１０４にて送信された登録要求データを受信したサーバ装置１００が実施する登録処理について、図１３を用いて処理フローを説明する。
【０１３５】
図１３は、サーバ装置１００における関係情報登録処理の処理フロー（図１の（１）に相当するサーバ装置１００における処理）を示す図である。
【０１３６】
まず、入力受付部１３１は、利用者端末１７０における関係情報登録処理のステップＳ１１０４にて送信された登録要求データを受信する（ステップＳ１３０１）。
【０１３７】
そして、関係情報登録部１３２は、ステップＳ１３０１で受信した登録要求データの情報を取得して、記憶部１２０の関係情報記憶領域１２２に記憶された関係情報テーブル２００に登録する（ステップＳ１３０２）。
【０１３８】
具体的には、関係情報登録部１３２は、ステップＳ１３０１で受信した登録要求データの当事者識別子欄６０１と、対象者識別子欄６０２と、関係情報欄６０３と、の情報を取得する。そして、関係情報登録部１３２は、取得した当事者識別子欄６０１の情報と、対象者識別子欄６０２の情報と、のうち、利用者情報テーブル２００の利用者氏名欄２０２に一致する情報があれば、利用者識別子欄２０１の情報を取得して置き換える。
【０１３９】
そして、関係情報登録部１３２は、記憶部１２０の関係情報記憶領域１２２に記憶された関係情報テーブル２００の当事者識別子欄３０１と、対象者識別子欄３０２と、関係情報欄３０３と、にそれぞれの情報を記憶する。
【０１４０】
以上が、サーバ装置１００における関係情報登録処理の処理フローである。
【０１４１】
次に、登録された関係情報の検索処理について、図１４を用いて説明する。
【０１４２】
図１４は、利用者端末１７０における、関係情報の検索を行う関係検索処理（図１の（２）（３）に相当する処理）の処理フローを示す図である。
【０１４３】
まず、関係情報検索部１８２は、利用者端末１７０の利用者であるユーザーから関係検索の処理を開始する指示を受け付けると、関係検索画面１２を出力部１７２に表示させる（ステップＳ１４０１）。
【０１４４】
具体的には、関係情報検索部１８２は、利用者端末１７０の利用者から関係検索の処理を開始する指示を受け付ける。次に、関係情報検索部１８２は、図１５に示す関係検索画面１２を表示するよう出力部１７２に指示し、出力部１７２は関係検索画面１２を表示する。
【０１４５】
図１５は関係検索画面１２の画面例を示す図である。
【０１４６】
関係検索画面１２は、構成人員入力欄２６と、検索条件入力欄１４と、操作入力欄１５と、を有する。
【０１４７】
構成人員入力欄２６は、当事者と対象者、すなわち関係の主体となる人物と関係の客体となる人物の氏名または識別子の入力と、を受け付ける欄である。例えば、構成人員入力欄２６は、複数（例えば４人）の構成人員１０の入力を受け付ける。具体的には、「Ａ（さん）」、「Ｂ（さん）」、「Ｃ（さん）」、「Ｄ（さん）」、という４人を当事者および対象者とする情報の入力を受け付ける。
【０１４８】
検索条件入力欄１４は、関係が「良好」であるか「不可」であるか、または「両方」であるかの検索条件の入力を受け付ける欄である。
【０１４９】
なお、関係が「両方」とは、「良好」であるものと「不可」であるものとのどちらも検索対象とする、ということを意味し、「良好」と「不可」との両方を選択した場合と同様の意味である。
【０１５０】
関係項目入力欄９は、「良（良好）」チェックボックス２１と、「不（不可）」チェックボックス２２と、「両方」チェックボックス２３と、の入力領域を有し、それぞれのチェックボックスに対する入力を受け付ける。
【０１５１】
また、操作入力欄１５は、構成人員を追加するために続けて入力する「次の人員入力」または検索情報の入力を終えて検索を行う「検索」の入力指示を受け付ける欄である。操作入力欄１５は、「次の人員入力」ラジオボタン２４と、「検索」ラジオボタン２５と、の入力領域を有し、択一的な入力を受け付ける。
【０１５２】
次に、関係情報検索部１８２は、ユーザーから関係検索画面１２の各項目の入力を受け付けて、構成人員テーブル１７５を作成する（ステップＳ１４０２）。
【０１５３】
具体的には、関係情報検索部１８２は、関係検索画面１２の構成人員入力欄２６の複数の構成人員１０と、操作入力欄１５との情報をそれぞれ、構成人員情報、操作情報、として受け付ける。
【０１５４】
そして、関係情報検索部１８２は、受け付けた構成人員情報に指定された利用者の氏名または識別子を、図５に示した検索対象人員テーブル４００の形式で利用者端末１７０の記憶部１７４の検索対象人員記憶領域１７５に記憶する。
【０１５５】
次に、関係情報検索部１８２は、ステップＳ１４０２にて受け付けた操作情報が「検索」を指定する入力であったか否かを判定する（ステップＳ１４０３）。
【０１５６】
関係情報検索部１８２は、ステップＳ１４０２にて受け付けた操作情報が「検索」を指定する入力ではなかった場合（ステップＳ１４０３にて「ＮＯ」）には、関係検索画面１２を表示させてステップＳ１４０２から処理を実施する。
【０１５７】
ステップＳ１４０２にて受け付けた操作情報が「検索」を指定する入力であった場合（ステップＳ１４０３にて「ＹＥＳ」）には、関係情報検索部１８２は、関係検索画面１２の検索条件１４の情報と、ステップＳ１４０２において作成した構成人員テーブル１７５の情報を取得して、検索要求データを作成する（ステップＳ１４０４）。
【０１５８】
具体的には、関係情報検索部１８２は、図８に示した検索要求データのフォーマット７００に従って、検索条件欄７０１には関係検索画面１２の検索条件１４の情報を設定し、検索対象者欄７０２にはステップＳ１４０２において作成した構成人員テーブル１７５の情報を設定することで検索対象者指定欄７０３の情報を作成する。
【０１５９】
次に、関係情報検索部１８２は、ステップＳ１４０４において作成した検索要求データをサーバ装置１００に送信する（ステップＳ１４０５）。
【０１６０】
そして、関係情報検索部１８２は、サーバ装置１００から送信された検索結果の情報を受信する（ステップＳ１４０６）。
【０１６１】
具体的には、関係情報検索部１８２は、サーバ装置１００から、図９に示した関係検索結果データのフォーマット８００に従った関係情報の検索結果の情報を受信する。
【０１６２】
次に、関係情報検索部１８２は、ステップＳ１４０６にて受信した検索結果の情報を用いて、図１６に示す検索結果画面１３を作成し、検索結果画面１３を出力部１７２に表示させる（ステップＳ１４０７）。
【０１６３】
図１６は、検索結果を示す検索結果画面１３の画面例を示す図である。
【０１６４】
検索結果画面１３は、当事者表示領域７と、対象者表示領域８と、関係項目表示領域９と、により構成される。
【０１６５】
当事者表示領域７は、関係情報の主体である当事者の氏名または識別子を表示する領域である。
【０１６６】
対象者表示領域８は、関係情報の客体である対象者の氏名または識別子を表示する領域である。
【０１６７】
関係項目表示領域９は、当事者表示領域７に示した当事者から見た対象者表示領域８に示した対象者に対する関係を表示する領域である。
【０１６８】
例えば、当事者表示領域７には、当事者である「Ａ（さん）」の氏名が表示され、対象者表示領域８には、対象者である「Ｂ（さん）」の氏名が表示され、関係項目表示領域には、（Ａさんから見たＢさんに対する関係は）「良好」である旨の情報が記載される。
【０１６９】
なお、複数の関係情報を表示する場合には、検索結果画面１３は、複数行にわたって関係情報を表示する。
【０１７０】
ここで、関係情報検索部１８２は、ステップＳ１４０６にて受信した検索結果の情報から関係情報を単数または複数取得する。そして、関係情報検索部１８２は、取得した関係情報の当事者識別子と、対象者識別子と、関係情報とを、それぞれ、検索結果画面１３の当事者表示領域７と、対象者表示領域８と、関係項目表示領域９と、に表示させる。
【０１７１】
関係情報検索部１８２は、取得した関係情報が複数であれば、複数行にわたって表示するよう検索結果画面１３を作成する。
【０１７２】
以上が、利用者端末１７０における関係検索処理の処理フローである。
【０１７３】
次に、利用者端末１７０における関係検索処理のステップＳ１４０５にて送信された検索要求データを受信したサーバ装置１００が実施する検索処理について、図１７を用いて処理フローを説明する。
【０１７４】
図１７は、サーバ装置１００における関係検索処理（図１の（２）（３）に相当するサーバ装置１００における処理）の処理フローを示す図である。
【０１７５】
まず、入力受付部１３１は、利用者端末１７０における関係検索処理のステップＳ１４０５にて送信された検索要求データを受信し、検索要求データに含まれる検索対象者指定欄７０３を取得し、検索対象人員記憶領域１２３に記憶された検索対象人員テーブル４００の検索対象者欄４０１に記憶する。
【０１７６】
そして、関係情報検索部１３３は、検索対象人員テーブル４００の検索対象者欄４０１に記憶された情報を対象に、利用者情報テーブル２００の利用者氏名欄２０２に一致する情報があれば、利用者識別子欄２０１の情報を取得して置き換える（ステップＳ１７０１）。
【０１７７】
次に、関係情報検索部１３３は、記憶部１２０の関係情報記憶領域１２２の関係情報テーブル３００から一件の関係情報を読み込む（ステップＳ１７０２）。
【０１７８】
そして、関係情報検索部１３３は、ステップＳ１７０２にて読み込んだ一件の関係情報の関係情報欄３０３の情報を取得して、ステップＳ１７０１において受信した検索要求データの検索条件欄７０１の情報と比較する（ステップＳ１７０３）。
【０１７９】
具体的には、関係情報検索部１３３は、ステップＳ１７０１において受信した検索要求データの検索条件欄７０１の情報が「両方」であること、または、「良好」と「不可」の両方であること、またはステップＳ１７０２にて読み込んだ一件の関係情報の関係情報欄３０３の情報がステップＳ１７０１において受信した検索要求データの検索条件欄７０１の情報と一致すること、のいずれかが成立するか否かを判定する。
【０１８０】
ステップＳ１７０３における比較の結果、いずれの条件も成立しない場合（ステップＳ１７０３において「ＮＯ」）には、関係情報検索部１３３は、後述するステップＳ１７０８を実施して、ステップＳ１７０２に処理を戻す。
【０１８１】
ステップＳ１７０３における比較の結果、いずれかの条件が成立する場合（ステップＳ１７０３において「ＹＥＳ」）には、関係情報検索部１３３は、ステップＳ１７０２にて読み込んだ一件の関係情報の当事者識別子欄３０１の情報と、対象者識別子欄３０２の情報と、の両方が、検索対象人員テーブル４００の検索対象者欄４０１の情報に含まれるか否かを判定する（ステップＳ１７０４）。
【０１８２】
ステップＳ１７０４における判定の結果、検索対象者欄４０１の情報に含まれない場合（ステップＳ１７０４において「ＮＯ」）には、関係情報検索部１３３は、後述するステップＳ１７０８を実施して、ステップＳ１７０２に処理を戻す。
【０１８３】
ステップＳ１７０４における判定の結果、検索対象者欄４０１の情報に含まれる場合（ステップＳ１７０４において「ＹＥＳ」）には、関係情報検索部１３３は、ステップＳ１７０２にて読み込んだ一件の関係情報を、関係検索結果データのフォーマット８００に整形して検索結果として追加し、検出数をインクリメントする（ステップＳ１７０５）。
【０１８４】
次に、関係情報検索部１３３は、ステップＳ１７０２で取得した関係情報データが関係情報テーブル３００に記憶された関係情報の最後の一件であったか否かを判定する（ステップＳ１７０６）。
【０１８５】
最後の一件である場合（ステップＳ１７０６において「ＹＥＳ」）には、出力作成部１３４は、ステップＳ１７０５において作成した検索結果と検出数と、を利用者端末１７０に送信し、処理を終了させる。なお、送信の際、出力作成部１３２は、検索結果の当事者識別子欄８０１の情報と、対象者識別子欄８０２の情報と、のうち、利用者情報テーブル２００の利用者氏名欄２０２に一致する情報があれば、利用者識別子欄２０１の情報を取得して置き換える（ステップＳ１７０７）。
【０１８６】
最後の一件ではなかった場合（ステップＳ１７０６において「ＮＯ」）には、関係情報検索部１３３は、関係情報テーブル３００に記憶された次の関係情報が処理対象となるようにして、ステップＳ１７０２に処理を戻す（ステップＳ１７０８）。
【０１８７】
以上が、サーバ装置１００における関係検索処理の処理フローである。
【０１８８】
次に、所属する組織の全員の関係を一括で検索することができるグループ検索処理の処理フローについて、図１８〜図２３を用いて説明する。
【０１８９】
まず、利用者端末１７０において、グループの人員を登録する処理について、図１８を用いて説明する。
【０１９０】
図１８は、利用者端末１７０におけるグループの人員を登録する処理の流れを示すフロー図である。
【０１９１】
まず、グループ人員登録部１８３は、利用者端末１７０の利用者であるユーザーからグループ人員の登録の処理を開始する指示を受け付けると、グループ人員登録画面３０を出力部１７２に表示させる（ステップＳ１８０１）。
【０１９２】
具体的には、まず、グループ人員登録部１８３は、利用者端末１７０の利用者からグループ人員登録の処理を開始する指示を受け付ける。次に、グループ人員登録部１８３は、図１９に示すグループ人員登録画面３０を表示するよう出力部１７２に指示し、出力部１７２はグループ登録画面３０を表示する。
【０１９３】
図１９はグループ登録画面３０の画面例を示す図である。
【０１９４】
グループ登録画面３０は、グループ識別子入力欄５７と、グループ人員入力欄５８と、指示入力欄５９と、を有する。
【０１９５】
グループ識別子入力欄５７は、登録する対象のグループの識別子の入力を受け付ける欄である。例えば、グループ識別子入力欄５７は、「Ｇ１」や、「○×課」というように、組織を識別する重複しない識別子を受け付ける。
【０１９６】
グループ人員入力欄５８は、登録するグループに所属する利用者の氏名または識別子の入力を受け付ける欄である。例えば、グループ人員入力欄５８は、「Ｂ（さん）」や、「２３４５６７」という利用者の情報の入力を受け付ける。
【０１９７】
指示入力欄５９は、グループに所属する利用者を続けて入力する「次の人員入力」または利用者の入力を終えてグループの登録を行う「登録」の入力指示を受け付ける欄である。指示入力欄５９は、「次の人員入力」ラジオボタン６０と、「登録」ラジオボタン６１と、の入力領域を有し、択一的な入力を受け付ける。
【０１９８】
次に、グループ人員登録部１８３は、ユーザーからグループ人員登録画面３０の各項目の入力を受け付ける（ステップＳ１８０２）。
【０１９９】
具体的には、グループ登録画面３０のグループ識別子入力欄５７、グループ人員入力欄５８、指示入力欄５９の情報をそれぞれ、グループ識別子情報、グループ人員情報、指示情報、として受け付ける。
【０２００】
次に、グループ人員登録部１８３は、ステップＳ１８０２で受け付けたグループ識別子情報、グループ人員情報を用いて図示しないグループデータを作成する（ステップＳ１８０３）。
【０２０１】
具体的には、グループ人員登録部１８３は、ステップＳ１８０２で受け付けたグループ識別子情報、グループ人員情報、を全て含むグループデータを作成する。
【０２０２】
次に、グループ人員登録部１８３は、ステップＳ１８０３で作成したグループデータをサーバ装置１００に対して送信する（ステップＳ１８０４）。
【０２０３】
次に、グループ人員登録部１８３は、ステップＳ１８０２にて受け付けた情報のうち、指示入力欄５９の情報である指示情報が「登録」であったか否かを判定する（ステップＳ１８０５）。
【０２０４】
ステップＳ１８０５において、「登録」であったと判定した場合（ステップＳ１８０５において「ＹＥＳ」）、グループ人員登録部１８３は、処理を終了させる。
【０２０５】
ステップＳ１８０５において、「登録」ではなかったと判定した場合（ステップＳ１８０５において「Ｎｏ」）、グループ人員登録部１８３は、処理をステップＳ１８０２に戻し、ステップＳ１８０２から処理を再実行する。つまり、２件目以降のグループ人員の登録処理を実施する。
【０２０６】
以上が、利用者端末１７０におけるグループ人員登録処理の処理フローである。
【０２０７】
次に、利用者端末１７０におけるグループ人員登録処理のステップＳ１８０４にて送信されたグループデータを受信したサーバ装置１００が実施する登録処理について、図２０を用いて処理フローを説明する。
【０２０８】
図２０は、サーバ装置１００におけるグループ人員登録処理の処理フローを示す図である。
【０２０９】
まず、入力受付部１３１は、利用者端末１７０におけるグループ人員登録処理のステップＳ１８０４にて送信されたグループデータを受信する（ステップＳ２００１）。
【０２１０】
そして、グループ人員登録部１３５は、ステップＳ２００１で受信したグループデータの情報を取得して、記憶部１２０のグループ人員記憶領域１２４に記憶されたグループ人員テーブル５００に登録する（ステップＳ２００２）。
【０２１１】
具体的には、グループ人員登録部１３５は、ステップＳ２００１で受信したグループデータのグループ識別子情報と、グループ人員情報と、を取得する。そして、グループ人員登録部１３５は、記憶部１２０のグループ人員記憶領域１２４に記憶されたグループ人員テーブル５００のグループ識別子欄５０１と、構成人員識別子欄５０２と、にそれぞれの情報を記憶する。
【０２１２】
なお、この際、登録する対象のグループ識別子情報がすでにグループ識別子欄５０１に記憶されている場合には、グループ人員登録部１３５は、グループ識別子欄５０１にグループ識別子を記憶させずに、構成人員識別子５０２にグループ人員情報を追加する。
【０２１３】
登録する対象のグループ識別子情報がグループ識別子欄５０１に記憶されていない場合には、グループ人員登録部１３５は、グループ識別子欄５０１にグループ識別子を記憶させ、構成人員識別子５０２にグループ人員情報を追加する。
【０２１４】
また、グループ人員情報を構成人員識別子５０２に追加する際に、グループ人員登録部１３５は、取得したグループ人員の情報のうち、利用者情報テーブル２００の利用者氏名欄２０２に一致する情報があれば、利用者識別子欄２０１の情報を取得して置き換える。
【０２１５】
以上が、サーバ装置１００におけるグループ人員登録処理の処理フローである。
【０２１６】
次に、グループ識別子を指定して一括で関係情報を検索するグループ検索処理について、図２１〜図２３を用いて説明する。
【０２１７】
図２１は、利用者端末１７０における、一括して関係情報の検索を行うグループ検索処理の処理フローを示す図である。
【０２１８】
まず、関係情報検索部１８２は、利用者端末１７０の利用者であるユーザーからグループ検索の処理を開始する指示を受け付けると、グループ検索画面３１を出力部１７２に表示させる（ステップＳ２１０１）。
【０２１９】
具体的には、関係情報検索部１８２は、利用者端末１７０の利用者からグループ検索の処理を開始する指示を受け付ける。次に、関係情報検索部１８２は、図２２に示すグループ検索画面３１を表示するよう出力部１７２に指示し、出力部１７２はグループ検索画面３１を表示する。
【０２２０】
図２２はグループ検索画面３１の画面例を示す図である。
【０２２１】
図２２に示すグループ検索画面３１は、図１５に示す関係検索画面１２とほぼ同じ画面であるが、さらに、グループ識別子入力欄５７を有する点において相違する。
【０２２２】
つまり、グループ検索画面３１は、構成人員入力欄２６と、グループ識別子入力欄５７と、検索条件入力欄１４と、操作入力欄１５と、を有する。
【０２２３】
このうち、グループ識別子入力欄５７は、当事者と対象者としてグループに所属する人員全てを指定する場合に、そのグループを識別する識別子の入力を受け付ける欄である。例えば、グループ識別子入力欄５７は、「Ｇ２」というグループの識別子の入力を受け付ける。
【０２２４】
なお、構成人員入力欄２６に入力される構成人員の情報は、グループ識別子入力欄５７に加えて受け付けられる。具体的には、「Ａ（さん）」、「Ｂ（さん）」、「Ｃ（さん）」、「Ｄ（さん）」、という４人を含むグループ「Ｇ３」がグループ識別子入力欄５７に入力され、かつ、構成人員入力欄２６に「Ｅ（さん）」が入力された場合には、「Ｇ３」グループの入力と、「Ｅ（さん）」の入力のすべてが有効となる。
【０２２５】
次に、関係情報検索部１８２は、ユーザーからグループ検索画面３１の各項目の入力を受け付けて、グループ識別子を含む構成人員テーブル１７５を作成する（ステップＳ２１０２）。
【０２２６】
具体的には、関係情報検索部１８２は、グループ検索画面３１の構成人員入力欄２６の複数の構成人員１０と、グループ識別子入力欄５７と、操作入力欄１５との情報をそれぞれ、構成人員情報、グループ識別子情報、操作情報、として受け付ける。
【０２２７】
そして、関係情報検索部１８２は、受け付けた構成人員情報に指定された利用者の氏名または識別子と、グループ識別子情報とを、図５に示した検索対象人員テーブル４００の形式で利用者端末１７０の記憶部１７４の検索対象人員記憶領域１７５に記憶する。
【０２２８】
次に、関係情報検索部１８２は、ステップＳ２１０２にて受け付けた操作情報が「検索」を指定する入力であったか否かを判定する（ステップＳ２１０３）。
【０２２９】
関係情報検索部１８２は、ステップＳ２１０２にて受け付けた操作情報が「検索」を指定する入力ではなかった場合（ステップＳ２１０３にて「ＮＯ」）には、グループ検索画面３１を表示させてステップＳ２１０２から処理を実施する。
【０２３０】
ステップＳ２１０２にて受け付けた操作情報が「検索」を指定する入力であった場合（ステップＳ２１０３にて「ＹＥＳ」）には、関係情報検索部１８２は、グループ検索画面３１の検索条件１４の情報と、ステップＳ２１０２において作成した構成人員テーブル１７５の情報を取得して、検索要求データを作成する（ステップＳ２１０４）。
【０２３１】
具体的には、関係情報検索部１８２は、図８に示した検索要求データのフォーマット７００に従って、検索条件欄７０１にはグループ検索画面３１の検索条件１４の情報を設定し、検索対象者欄７０２にはステップＳ２１０２において作成したグループ識別子を含む構成人員テーブル１７５の情報を設定することで検索対象者指定欄７０３の情報を作成する。
【０２３２】
次に、関係情報検索部１８２は、ステップＳ２１０４において作成した検索要求データをサーバ装置１００に送信する（ステップＳ２１０５）。
【０２３３】
そして、関係情報検索部１８２は、サーバ装置１００から送信された検索結果の情報を受信する（ステップＳ２１０６）。
【０２３４】
具体的には、関係情報検索部１８２は、サーバ装置１００から、図９に示した関係検索結果データのフォーマット８００に従った関係情報の検索結果の情報を受信する。
【０２３５】
次に、関係情報検索部１８２は、ステップＳ２１０６にて受信した検索結果の情報を用いて、図１６に示す検索結果画面１３を作成し、検索結果画面１３を出力部１７２に表示させる（ステップＳ２１０７）。
【０２３６】
以上が、利用者端末１７０におけるグループ検索処理の処理フローである。
【０２３７】
次に、利用者端末１７０におけるグループ検索処理のステップＳ２１０５にて送信された検索要求データを受信したサーバ装置１００が実施する検索処理について、図２３を用いて処理フローを説明する。
【０２３８】
図２３は、サーバ装置１００におけるグループ検索処理の処理フローを示す図である。
【０２３９】
まず、入力受付部１３１は、利用者端末１７０におけるグループ検索処理のステップＳ２１０５にて送信された検索要求データを受信し、検索要求データに含まれる検索対象者指定欄７０３を取得し、検索対象人員記憶領域１２３に記憶された検索対象人員テーブル４００の検索対象者欄４０１に記憶する。このとき、グループの識別子も、検索対象者欄４０１にそのまま記憶する（ステップＳ２３０１）。
【０２４０】
次に、関係情報検索部１３３は、記憶部１２０のグループ人員記憶領域１２４のグループ人員テーブル５００から検索することで検索対象者欄４０１に含まれるグループ識別子に対応する構成人員識別子５０２を特定し、検索対象者欄４０１の情報に加える（ステップＳ２３０２）。なお、関係情報検索部１３３は、検索対象者欄４０１に構成人員識別子５０２を加え終えると、そのグループ識別子を、検索対象者欄４０１から削除する。
【０２４１】
そして、関係情報検索部１３３は、検索対象者欄４０１に記憶された情報のうち、利用者情報テーブル２００の利用者氏名欄２０２に一致する情報があれば、利用者識別子欄２０１の情報を取得して置き換える。
【０２４２】
次に、関係情報検索部１３３は、記憶部１２０の関係情報記憶領域１２２の関係情報テーブル３００から一件の関係情報を読み込む（ステップＳ２３０３）。
【０２４３】
そして、関係情報検索部１３３は、ステップＳ２３０３にて読み込んだ一件の関係情報の関係情報欄３０３の情報を取得して、ステップＳ２３０１において受信した検索要求データの検索条件欄７０１の情報と比較する（ステップＳ２３０４）。
【０２４４】
具体的には、関係情報検索部１３３は、ステップＳ２３０１において受信した検索要求データの検索条件欄７０１の情報が「両方」であること、または、「良好」と「不可」の両方であること、またはステップＳ２３０３にて読み込んだ一件の関係情報の関係情報欄３０３の情報がステップＳ２３０１において受信した検索要求データの検索条件欄７０１の情報と一致すること、のいずれかが成立するか否かを判定する。
【０２４５】
ステップＳ２３０４における比較の結果、いずれの条件も成立しない場合（ステップＳ２３０４において「ＮＯ」）には、関係情報検索部１３３は、後述するステップＳ２３０９を実施して、ステップＳ２３０３に処理を戻す。
【０２４６】
ステップＳ２３０４における比較の結果、いずれかの条件が成立する場合（ステップＳ２３０４において「ＹＥＳ」）には、関係情報検索部１３３は、ステップＳ２３０３にて読み込んだ一件の関係情報の当事者識別子欄３０１の情報と、対象者識別子欄３０２の情報と、の両方が、検索対象人員テーブル４００の検索対象者欄４０１の情報に含まれるか否かを判定する（ステップＳ２３０５）。
【０２４７】
ステップＳ２３０５における判定の結果、検索対象者欄４０１の情報に含まれない場合（ステップＳ２３０５において「ＮＯ」）には、関係情報検索部１３３は、後述するステップＳ２３０９を実施して、ステップＳ２３０３に処理を戻す。
【０２４８】
ステップＳ２３０５における判定の結果、検索対象者欄４０１の情報に含まれる場合（ステップＳ２３０５において「ＹＥＳ」）には、関係情報検索部１３３は、ステップＳ２３０３にて読み込んだ一件の関係情報を関係検索結果データのフォーマット８００に整形して検索結果として追加し、検出数をインクリメントする（ステップＳ２３０６）。
【０２４９】
次に、関係情報検索部１３３は、ステップＳ２３０３で取得した関係情報データが関係情報テーブル３００に記憶された関係情報の最後の一件であったか否かを判定する（ステップＳ２３０７）。
【０２５０】
最後の一件である場合（ステップＳ２３０７において「ＹＥＳ」）には、出力作成部１３４は、ステップＳ２３０６において作成した検索結果と検出数と、を利用者端末１７０に送信し、処理を終了させる。なお、送信の際、出力作成部１３２は、検索結果の当事者識別子欄８０１の情報と、対象者識別子欄８０２の情報と、のうち、利用者情報テーブル２００の利用者氏名欄２０２に一致する情報があれば、利用者識別子欄２０１の情報を取得して置き換える（ステップＳ２３０８）。
【０２５１】
最後の一件ではなかった場合（ステップＳ２３０７において「ＮＯ」）には、関係情報検索部１３３は、関係情報テーブル３００に記憶された次の関係情報が処理対象となるようにして、ステップＳ２３０３に処理を戻す（ステップＳ２３０９）。
【０２５２】
以上が、サーバ装置１００におけるグループ検索処理の処理フローである。
【０２５３】
次に、ある特定の利用者と、その他利用者全員との関係を一括で検索することができる個別人員検索処理の処理フローについて、図２４〜図２７を用いて説明する。
【０２５４】
図２４は、利用者端末１７０における、個別人員についての関係情報の検索を行う個別人員検索処理の処理フローを示す図である。
【０２５５】
まず、関係情報検索部１８２は、利用者端末１７０の利用者であるユーザーから個別人員検索の処理を開始する指示を受け付けると、個別人員検索画面５２を出力部１７２に表示させる（ステップＳ２４０１）。
【０２５６】
具体的には、関係情報検索部１８２は、利用者端末１７０の利用者から個別人員検索の処理を開始する指示を受け付ける。次に、関係情報検索部１８２は、図２５に示す個別人員検索画面５２を表示するよう出力部１７２に指示し、出力部１７２は個別人員検索画面５２を表示する。
【０２５７】
図２５は個別人員検索画面５２の画面例を示す図である。
【０２５８】
なお、図２５に示す個別人員検索画面５２は、図１５に示す関係検索画面１２と基本的には同じ画面であるが、構成人員入力欄２６と操作入力欄１５と、を有さず、その代わりに検索人員入力欄５０と検索内容入力欄５１と、を有する点において相違する。
【０２５９】
すなわち、個別人員検索画面５２は、検索人員入力欄５０と、検索内容入力欄５１と、検索条件入力欄１４と、を有する。
【０２６０】
検索人員入力欄５０は、当事者または対象者、すなわち関係の主体となる人物または関係の客体となる人物の氏名または識別子の入力を受け付ける欄である。例えば、検索人員入力欄５０は、単一の構成人員１０の入力を受け付ける。具体的には、「Ａ（さん）」を当事者または対象者とする旨の情報の入力を受け付ける。
【０２６１】
検索内容入力欄５１は、検索する対象である検索人員入力欄５０に入力された利用者が「当事者」であるか「対象者」であるか、またはその「どちらでも」であるか、に関する検索内容の入力を受け付ける欄である。
【０２６２】
具体的には、検索内容入力欄５１は、「当事者」チェックボックス５３と、「対象者」チェックボックス５４と、「どちらでも」チェックボックス５５と、の入力領域を有し、それぞれのチェックボックスに対する入力を受け付ける。
【０２６３】
なお、検索内容の「どちらでも」は、「当事者」である関係情報と「対象者」である関係情報とのいずれも検索対象とする、ということを意味し、「当事者」と「対象者」の両方を選択することと同様の検索内容である。
【０２６４】
次に、関係情報検索部１８２は、ユーザーから個別人員検索画面５２の各項目の入力を受け付ける（ステップＳ２４０２）。
【０２６５】
具体的には、関係情報検索部１８２は、個別人員検索画面５２の検索人員入力欄５０の構成人員１０の情報と、検索内容入力欄５１の情報と、検索条件入力欄１４の情報と、をそれぞれ、検索人員情報、検索内容情報、検索条件情報、として受け付ける。
【０２６６】
次に、関係情報検索部１８２は、個別人員検索情報９００を作成する（ステップＳ２４０３）。
【０２６７】
具体的には、図２６に示す個別人員検索情報のフォーマット９００に従って、関係情報検索部１８２は、ステップＳ２４０２にて受け付けた情報を構成する。
【０２６８】
図２６は、個別人員検索情報９００のフォーマットを示す図である。
【０２６９】
個別人員検索情報９００は、検索人員識別子欄９０１と、検索内容欄９０２と、検索条件欄９０３と、を備える。
【０２７０】
関係情報検索部１８２は、ステップＳ２４０２にて受け付けた検索人員情報と、検索内容情報と、検索条件情報と、を、それぞれ、検索人員識別子欄９０１と、検索内容欄９０２と、検索条件欄９０３と、に設定して個別人員検索情報を作成する。
【０２７１】
次に、関係情報検索部１８２は、ステップＳ２４０３において作成した個別人員検索情報をサーバ装置１００に送信する（ステップＳ２４０４）。
【０２７２】
そして、関係情報検索部１８２は、サーバ装置１００から送信された検索結果の情報を受信する（ステップＳ２４０５）。
【０２７３】
具体的には、関係情報検索部１８２は、サーバ装置１００から、図９に示した関係検索結果データのフォーマット８００に従った関係情報の検索結果の情報を受信する。
【０２７４】
次に、関係情報検索部１８２は、ステップＳ２４０５にて受信した検索結果の情報を用いて、図１６に示す検索結果画面１３を作成し、検索結果画面１３を出力部１７２に表示させる（ステップＳ２４０６）。
【０２７５】
ここで、関係情報検索部１８２は、ステップＳ１４０６にて受信した検索結果の情報から関係情報を単数または複数取得する。そして、関係情報検索部１８２は、取得した関係情報の当事者識別子と、対象者識別子と、関係情報とを、それぞれ、検索結果画面１３の当事者表示領域７と、対象者表示領域８と、関係項目表示領域９と、に表示させる。
【０２７６】
関係情報検索部１８２は、取得した関係情報が複数あれば、複数行にわたって表示するよう検索結果画面１３を作成する。
【０２７７】
以上が、利用者端末１７０における個別人員検索処理の処理フローである。
【０２７８】
次に、利用者端末１７０における個別人員検索処理のステップＳ２４０４にて送信された個別人員検索情報を受信したサーバ装置１００が実施する検索処理について、図２７を用いて処理フローを説明する。
【０２７９】
図２７は、サーバ装置１００における個別人員検索処理の処理フローを示す図である。
【０２８０】
まず、入力受付部１３１は、利用者端末１７０における個別人員検索処理のステップＳ２４０４にて送信された個別人員検索情報を受信し、個別人員検索情報に含まれる検索人員識別子欄９０１を取得し、検索対象人員記憶領域１２３に記憶された検索対象人員テーブル４００の検索対象者欄４０１に記憶する。そして、特定人員検索部１３６は、検索対象者欄４０１に記憶された情報のうち、利用者情報テーブル２００の利用者氏名欄２０２に一致する情報があれば、利用者識別子欄２０１の情報を取得して置き換える（ステップＳ２７０１）。
【０２８１】
次に、特定人員検索部１３６は、記憶部１２０の関係情報記憶領域１２２の関係情報テーブル３００から一件の関係情報を読み込む（ステップＳ２７０２）。
【０２８２】
そして、特定人員検索部１３６は、ステップＳ２７０２にて読み込んだ一件の関係情報の当事者識別子欄３０１の情報と対象者識別子欄３０２の情報とを取得して、ステップＳ２７０１において受信した個別人員検索情報の検索内容欄９０２の情報と一致するか否かを判定する（ステップＳ２７０３）。
【０２８３】
具体的には、特定人員検索部１３６は、ステップＳ２７０１において受信した個別人員検索情報の検索内容欄９０２の情報が「どちらでも」であれば、ステップＳ２７０１において検索対象人員テーブル４００の検索対象者欄４０１に記憶された検索人員の識別子が、ステップＳ２７０２にて読み込んだ一件の関係情報の当事者識別子欄３０１の情報または対象者識別子欄３０２の情報のうちいずれかと一致するか否かを判定する。
【０２８４】
または、特定人員検索部１３６は、ステップＳ２７０１において受信した個別人員検索情報の検索内容欄９０２の情報が「当事者」であれば、ステップＳ２７０１において検索対象人員テーブル４００の検索対象者欄４０１に記憶された検索人員の識別子が、ステップＳ２７０２にて読み込んだ一件の関係情報の当事者識別子欄３０１の情報と一致するか否かを判定する。
【０２８５】
または、特定人員検索部１３６は、ステップＳ２７０１において受信した個別人員検索情報の検索内容欄９０２の情報が「対象者」であれば、ステップＳ２７０１において検索対象人員テーブル４００の検索対象者欄４０１に記憶された検索人員の識別子が、ステップＳ２７０２にて読み込んだ一件の関係情報の対象者識別子欄３０２の情報と一致するか否かを判定する。
【０２８６】
次に、特定人員検索部１３６は、ステップＳ２７０２にて読み込んだ一件の関係情報の関係情報欄３０３の情報を取得して、ステップＳ２７０１において受信した個別人員検索情報の検索条件欄９０３の情報と比較する（ステップＳ２７０４）。
【０２８７】
具体的には、特定人員検索部１３６は、ステップＳ２７０１において受信した検索要求データの検索条件欄９０３の情報が「両方」であること、または、「良（良好）」と「不（不可）」の両方であること、またはステップＳ２７０２にて読み込んだ一件の関係情報の関係情報欄３０３の情報がステップＳ２７０１において受信した個別人員検索情報の検索条件欄９０３の情報と一致すること、のうちのいずれかが成立するか否かを判定する。
【０２８８】
ステップＳ２７０４における比較の結果、いずれの条件も成立しない場合（ステップＳ２７０４において「ＮＯ」）には、特定人員検索部１３６は、後述するステップＳ２７０８を実施して、ステップＳ２７０２に処理を戻す。
【０２８９】
ステップＳ２７０４における比較の結果、いずれかの条件が成立する場合（ステップＳ２７０４において「ＹＥＳ」）には、特定人員検索部１３６は、ステップＳ２７０２にて読み込んだ一件の関係情報を、関係検索結果データのフォーマット８００に整形して検索結果に追加し、検出数をインクリメントする（ステップＳ２７０５）。
【０２９０】
次に、特定人員検索部１３６は、ステップＳ２７０２で取得した関係情報データが関係情報テーブル３００に記憶された関係情報の最後の一件であったか否かを判定する（ステップＳ２７０６）。
【０２９１】
最後の一件である場合（ステップＳ２７０６において「ＹＥＳ」）には、出力作成部１３４は、ステップＳ２７０５において作成した検索結果と検出数と、を利用者端末１７０に送信し、処理を終了させる。なお、送信の際、出力作成部１３２は、検索結果の当事者識別子欄８０１の情報と、対象者識別子欄８０２の情報と、のうち、利用者情報テーブル２００の利用者氏名欄２０２に一致する情報があれば、利用者識別子欄２０１の情報を取得して置き換える（ステップＳ２７０７）。
【０２９２】
最後の一件ではなかった場合（ステップＳ２７０６において「ＮＯ」）には、特定人員検索部１３６は、関係情報テーブル３００に記憶された次の関係情報が処理対象となるようにして、ステップＳ２７０２に処理を戻す（ステップＳ２７０８）。
【０２９３】
以上が、サーバ装置１００における個別人員検索処理の処理フローである。
【０２９４】
このように、本発明の実施形態により、利用者端末１７０を操作するユーザーは、利用者間の関係を、複数の検索方法で検索し、画面１３に表示される検索結果の情報に基き把握することが可能となる。
【０２９５】
例えば、このようにして把握した利用者間の関係を考慮して、人事異動やプロジェクトチームの編成を行う際の参考情報とすることができる。
【０２９６】
また、人員配置を検討する際に、「不可」の関係に立つ当事者と対象者とを、同一部署に配置することを避ける、等の対応が可能となる。
【０２９７】
以上、本発明について、実施の形態に基づき具体的に説明したが、これに限定されるものではなく、その要旨を逸脱しない範囲で種々の変更が可能である。
【０２９８】
例えば、サーバ装置１００は、利用者端末１７０に対して、ネットワーク１５０を介して通信を行う別の装置として実現しているが、これに限らず、例えば同一の装置上に実装してもよい。
【０２９９】
また例えば、サーバ装置１００の出力作成部１３４が、検索結果をHTTP（Hyper Text Transfer Protocol）などの通信プロトコルによりネットワーク１５０に接続された機器に送信するように変更し、入力受付部１３１を、ネットワーク１５０に接続された機器から操作指示を受け付けるように変更することで、ネットワーク１５０に接続された他の端末に対して画面１３を表示させることができるようになり、機器構成の自由度を増加させることができる。
【０３００】
なお、上記の人員配置支援システム１は、システムとして取引対象とするだけでなく、各機器単位、または機器の動作を実現するプログラム部品単位で取引対象とすることも可能である。
【図面の簡単な説明】
【０３０１】
【図１】本実施形態の人員配置支援システムの仕組みを説明する図である。
【図２】本実施形態の人員配置支援システムの構成図である。
【図３】本実施形態における利用者情報テーブルのデータ構造を示す図である。
【図４】本実施形態における関係情報テーブルのデータ構造を示す図である。
【図５】本実施形態における検索対象人員テーブルのデータ構造を示す図である。
【図６】本実施形態におけるグループ人員テーブルのデータ構造を示す図である。
【図７】本実施形態における登録要求データのフォーマットを示す図である。
【図８】本実施形態における検索要求データのフォーマットを示す図である。
【図９】本実施形態における関係検索結果データのフォーマットを示す図である。
【図１０】本実施形態のハードウェア構成を示す図である。
【図１１】本実施形態の利用者端末における関係登録処理の処理フローを示す図である。
【図１２】本実施形態の関係情報の入力を受け付ける画面例を示す図である。
【図１３】本実施形態のサーバ装置における関係登録処理の処理フローを示す図である。
【図１４】本実施形態の利用者端末における関係検索処理の処理フローを示す図である。
【図１５】本実施形態の関係情報の検索条件を受け付ける画面例を示す図である。
【図１６】本実施形態の検索結果の画面例を示す図である。
【図１７】本実施形態のサーバ装置における関係検索処理の処理フローを示す図である。
【図１８】本実施形態の利用者端末におけるグループ人員登録処理の処理フローを示す図である。
【図１９】本実施形態の利用者端末におけるグループ人員の入力を受け付ける画面例を示す図である。
【図２０】本実施形態のサーバ装置におけるグループ人員登録処理の処理フローを示す図である。
【図２１】本実施形態の利用者端末におけるグループ検索処理の処理フローを示す図である。
【図２２】本実施形態のグループ検索の検索条件を受け付ける画面例を示す図である。
【図２３】本実施形態のサーバ装置におけるグループ検索処理の処理フローを示す図である。
【図２４】本実施形態の利用者端末における個別人員検索処理の処理フローを示す図である。
【図２５】本実施形態の個別人員検索の検索条件を受け付ける画面例を示す図である。
【図２６】本実施形態の個別人員検索情報のフォーマットを示す図である。
【図２７】本実施形態のサーバ装置における個別人員検索処理の処理フローを示す図である。
【符号の説明】
【０３０２】
１：人員配置支援システム、１００：サーバ装置、１２０：記憶部、１２１：利用者情報記憶領域、１２２：関係情報記憶領域、１２３：検索対象人員記憶領域、１２４：グループ人員記憶領域、１３０：制御部、１３１：入力受付部、１３２：関係情報登録部、１３３：関係情報検索部、１３４：出力作成部、１３５：グループ人員登録部、１３６：特定人員検索部、１４０：送受信部、１５０：ネットワーク、１７０：利用者端末、１７１：入力部、１７２：出力部、１７３：送受信部、１８０：制御部、１８１：関係情報登録部、１８２：関係情報検索部、１８３：グループ人員登録部、２００：利用者情報テーブル、３００：関係情報テーブル、４００：検索対象人員テーブル、５００：グループ人員テーブル
【図１】
0005154980.tif 000002
【図２】
0005154980.tif 000003
【図３】
0005154980.tif 000004
【図４】
0005154980.tif 000005
【図５】
0005154980.tif 000006
【図６】
0005154980.tif 000007
【図７】
0005154980.tif 000008
【図８】
0005154980.tif 000009
【図９】
0005154980.tif 000010
【図１０】
0005154980.tif 000011
【図１１】
0005154980.tif 000012
【図１２】
0005154980.tif 000013
【図１３】
0005154980.tif 000014
【図１４】
0005154980.tif 000015
【図１５】
0005154980.tif 000016
【図１６】
0005154980.tif 000017
【図１７】
0005154980.tif 000018
【図１８】
0005154980.tif 000019
【図１９】
0005154980.tif 000020
【図２０】
0005154980.tif 000021
【図２１】
0005154980.tif 000022
【図２２】
0005154980.tif 000023
【図２３】
0005154980.tif 000024
【図２４】
0005154980.tif 000025
【図２５】
0005154980.tif 000026
【図２６】
0005154980.tif 000027
【図２７】
0005154980.tif 000028